(57)【要約】【課題】小型化が可能な３段以上繰り出すレンズ鏡胴を提供する。【解決手段】第１直進部材２００と第１回転部材２１０、第２直進部材３００と第２回転部材３１０、第３直進部材４００と第３回転部材４１０とが対になって繰り出す。第２直進部材３００が第１直進部材２００に軸方向移動自在に係合する部分３０１は、第１回転部材２１０及び第２回転部材３１０のいずれよりも径方向内側に配置される。第３直進部材４００が第２直進部材３００に軸方向移動自在に係合する部分４０１は、第２回転部材３１０及び第３回転部材４１０のいずれよりも径方向内側に配置される。固定部材１００と第１回転部材２１０との間、第１回転部材２１０と第２直進部材３００との間、第２回転部材３１０と第３直進部材４００との間が、それぞれ、回転駆動力を直進駆動力に変換して伝達する駆動伝達機構で結合されている。【選択図】  図１
2004184586.tif 000002
【特許請求の範囲】
【請求項１】
固定部材と、
上記固定部材に軸方向移動自在に係合し直進案内される第１直進部材と、該第１直進部材に対して相対回転自在に結合し該第１直進部材とともに軸方向に一体的に移動する第１回転部材とからなり、上記固定部材よりも被写体側に繰り出す第１対と、
上記第１直進部材に軸方向移動自在に係合し直進案内される第２直進部材と、該第２直進部材に対して相対回転自在に結合し該第２直進部材とともに軸方向に一体的に移動するとともに上記第１回転部材に対して相対回転することなく軸方向移動自在に係合する第２回転部材とからなり、上記第１対よりも被写体側に繰り出す第２対と、
上記第２直進部材に軸方向移動自在に係合し直進案内される第３直進部材と、該第３直進部材に対して相対回転自在に結合し該第３直進部材とともに軸方向に一体的に移動するとともに上記第２回転部材に対して相対回転することなく軸方向移動自在に係合する第３回転部材とからなり、上記第２対よりも被写体側に繰り出す第３対とを備え、
上記第２直進部材が上記第１直進部材に軸方向移動自在に係合する部分は、上記第１回転部材及び上記第２回転部材のいずれよりも径方向内側に配置され、
上記第３直進部材が上記第２直進部材に軸方向移動自在に係合する部分は、上記第２回転部材及び上記第３回転部材のいずれよりも径方向内側に配置され、
上記固定部材と第１回転部材との間、上記第１回転部材と上記第２直進部材との間、上記第２回転部材と上記第３直進部材との間が、それぞれ、回転駆動力を直進駆動力に変換して伝達する駆動伝達機構で結合されていることを特徴とする、レンズ鏡胴。
【請求項２】
上記第１回転部材と上記第２直進部材との間、上記第２回転部材と上記第３直進部材との間が、それぞれ、全周に渡って常にねじ結合されることを特徴とする、請求項１記載のレンズ鏡胴。
【請求項３】
上記第１直進部材は、軸方向に延在する第１直進連動部を有し、
上記第１回転部材は、その内周面に、ヘリコイドと、該ヘリコイドを径方向に途中まで切り欠くことにより形成された軸方向に延在する回転連動溝とを有し、
上記第２直進部材は、軸方向に延在し上記第１直進連動部に軸方向移動自在に係合する第２直進連動部を有し、
上記第２回転部材は、その外周面に、上記第１回転部材の上記回転連動溝に係合する突起を有し、その内周面に、ヘリコイドと、該ヘリコイドを径方向に途中まで切り欠くことにより形成された軸方向に延在する回転連動溝とを有し、
上記第３直進部材は、軸方向に延在し上記第２直進連動部に軸方向移動自在に係合する第３直進連動部を有し、
上記第３回転部材は、その外周面に、上記第２回転部材の上記回転連動溝に係合する突起を有し、
上記第１直進案内部は、上記第１回転部材及び上記第２回転部材のいずれよりも径方向内側に配置され、
上記第２直進案内部材は、上記第２回転部材及び上記第３回転部材のいずれよりも径方向内側に配置されたことを特徴とする、請求項１又は２記載のレンズ鏡胴。
【請求項４】
上記第１直進連動部、上記第２直進連動部及び上記第３直進連動部は、上記第１回転部材、上記第２回転部材及び上記第３回転部材のいずれよりも径方向内側の略同一円上に配置されたことを特徴とする、請求項１、２又は３記載のレンズ鏡胴。
【発明の詳細な説明】
【０００１】
【発明の属する技術分野】
本発明は、レンズ鏡胴に関し、特に多段ズームに好適なレンズ鏡胴に関する。
【０００２】
【従来の技術】
従来、カメラ本体から繰り出すレンズ鏡胴が種々提案されている。例えば、特許文献１及び２には、２段繰り出しのレンズ鏡胴が開示されている。特許文献３には、３段繰り出しのレンズ鏡胴が開示されている。
【０００３】
【特許文献１】
特開２０００−６６０８１号公報
【特許文献２】
特開平２００１−１８３５６３号公報
【特許文献３】
特開平９−２１１２９０号公報
【０００４】
このような繰り出しタイプのレンズ鏡胴は、回転を規制するための直進部材と、直進部材に対して相対回転する回転部材とからなり、軸方向に一体的に移動する対を複数備え、隣接する対間で、直進部材の直進が連動し、回転部材の回転が連動し、隣接する対の一方の直進部材と他方の直進部材との係合によって、各対が軸方向に相対移動して伸縮する。
【０００５】
【発明が解決しようとする課題】
従来の３段以上繰り出すレンズ鏡胴は、前後の段の回転部材間に直進部材が配置される構成を含んでいる。
【０００６】
例えば、直進部材の径方向外側に回転部材が配置された一方の対から他方の対が繰り出すように、他方の対の回転部材を一方の対の直進部材にねじ結合した場合、一方の対の回転部材と他方の対の回転部材との間で回転を伝達するために、一方の対の直進部材には、螺旋状に延在する空間を設ける必要がある。
【０００７】
螺旋状の空間によって一方の対の直進部材の剛性が低下するので、例えばレンズ鏡胴に対して軸方向に無理な力がかかった場合を考慮すると、一方の対の直進部材の径方向寸法は、小さくするにしても限界があり、さらには制御精度を上げるために、回転部材の回転角を大きくとることが制限されてしまう。また、一方の対の直進部材の螺旋状の空間について遮光するためには、複雑な構成とせざるをえない。
【０００８】
そのため、３段以上繰り出すレンズ鏡胴において、コンパクトであるにも関わらず、安価でかつ剛性が高いものは、提供されていない。
【０００９】
したがって、本発明が解決しようとする課題の１つは、小型化が可能な３段以上繰り出すレンズ鏡胴を提供することである。
【００１０】
【課題を解決するための手段】
本発明は、上記技術的課題を解決するために、以下の構成のレンズ鏡胴を提供する。
【００１１】
レンズ鏡胴は、固定部材と、第１対と、第２対と、第３対とを備える。上記第１対は、上記固定部材に軸方向移動自在に係合し直進案内される第１直進部材と、該第１直進部材に対して相対回転自在に結合し該第１直進部材とともに軸方向に一体的に移動する第１回転部材とからなる。上記第１対は、上記固定部材よりも被写体側に繰り出す。上記第２対は、上記第１直進部材に軸方向移動自在に係合し直進案内される第２直進部材と、該第２直進部材に対して相対回転自在に結合し該第２直進部材とともに軸方向に一体的に移動するとともに上記第１回転部材に対して相対回転することなく軸方向移動自在に係合する第２回転部材とからなる。上記第２対は、上記第１対よりも被写体側に繰り出す。上記第３対は、上記第２直進部材に軸方向移動自在に係合し直進案内される第３直進部材と、該第３直進部材に対して相対回転自在に結合し該第３直進部材とともに軸方向に一体的に移動するとともに上記第２回転部材に対して相対回転することなく軸方向移動自在に係合する第３回転部材とからなる。上記第３対は、上記第２対よりも被写体側に繰り出す。上記第２直進部材が上記第１直進部材に軸方向移動自在に係合する部分は、上記第１回転部材及び上記第２回転部材のいずれよりも径方向内側に配置される。上記第３直進部材が上記第２直進部材に軸方向移動自在に係合する部分は、上記第２回転部材及び上記第３回転部材のいずれよりも径方向内側に配置される。上記固定部材と第１回転部材との間、上記第１回転部材と上記第２直進部材との間、上記第２回転部材と上記第３直進部材との間が、それぞれ、回転駆動力を直進駆動力に変換して伝達する駆動伝達機構で結合されている。
【００１２】
上記構成において、固定部材から、第１対、第２対及び第３対の３段が繰り出す。駆動伝達機構は、例えば、ねじ結合（ヘリコイド結合）、カム結合などである。
【００１３】
上記構成によれば、第１回転部材と第２回転部材との間に第１直進部材が介在しないようにすることができる。また、第２回転部材と第３回転部材との間に第２直進部材が介在しないようにすることができる。これにより、回転部材間で回転を伝達するために、直進部材に螺旋状の空間を設けなくてもよい。
【００１４】
上記構成によれば、螺旋状の空間により剛性が低下する部品をなくし、部品の小型化を図ることが可能である。さらには、回転部材の回転角を大きくして制御精度の向上を図ることができる。また、遮光も、簡単な構成で実現可能である。また、回転部材間には直進部材が介在しないので、回転部材間で回転を伝達するための構成を、簡単にすることができる。
【００１５】
したがって、レンズ鏡胴を小型化することができる。
【００１６】
さらに、各対を繰り出すための機構は、ねじ結合を用いているので、力の伝達部分は、回転部材、すなわちレンズ鏡胴の外形に沿って、多数箇所に配置できる。したがって、レンズ鏡胴の剛性を向上することができる。
【００１７】
好ましくは、上記第１回転部材と上記第２直進部材との間、上記第２回転部材と上記第３直進部材との間が、それぞれ、全周に渡って常にねじ結合される。
【００１８】
上記構成において、ねじ結合する部分が全周に渡って存在するので、簡単な構成で、ねじ結合する部材間を全周に渡って遮光することができる。
【００１９】
好ましくは、上記第１直進部材は、軸方向に延在する第１直進連動部を有する。上記第１回転部材は、その内周面に、ヘリコイドと、該ヘリコイドを径方向に途中まで切り欠くことにより形成された軸方向に延在する回転連動溝とを有する。上記第２直進部材は、軸方向に延在し上記第１直進連動部に軸方向移動自在に係合する第２直進連動部を有する。上記第２回転部材は、その外周面に、上記第１回転部材の上記回転連動溝に係合する突起を有し、その内周面に、ヘリコイドと、該ヘリコイドを径方向に途中まで切り欠くことにより形成された軸方向に延在する回転連動溝とを有する。上記第３直進部材は、軸方向に延在し上記第２直進連動部に軸方向移動自在に係合する第３直進連動部を有する。上記第３回転部材は、その外周面に、上記第２回転部材の上記回転連動溝に係合する突起を有する。上記第１直進案内部は、上記第１回転部材及び上記第２回転部材のいずれよりも径方向内側に配置される。上記第２直進案内部材は、上記第２回転部材及び上記第３回転部材のいずれよりも径方向内側に配置される。
【００２０】
上記構成によれば、第１回転部材及び第２回転部材において、直進案内溝はヘリコイドを径方向に途中まで切り欠いて形成されているので、直進案内溝を設けても、ヘリコイド結合により遮光することができる。
【００２１】
好ましくは、上記第１直進連動部、上記第２直進連動部及び上記第３直進連動部は、上記第１回転部材、上記第２回転部材及び上記第３回転部材のいずれよりも径方向内側の略同一円上に配置される。
【００２２】
上記構成によれば、各直進連動部の径方向の厚みが累積しないので、レンズ鏡胴の径方向寸法を小さくすることができる。
【００２３】
【発明の実施の形態】
以下、本発明の実施の形態として実施例を図１〜図６に基づいて説明する。
【００２４】
レンズ鏡胴１０は、図１の分解斜視図に示すように、カメラ本体に固定される固定筒１００の後側（被写体とは反対側）から、第１回転部材２１０、第２回転部材３１０、カム環４１０、第１レンズ移動枠４００、第２レンズ枠５００、第２直進部材３００、第１直進部材２００を順に挿入することにより、組み立てることができるようになっている。
【００２５】
レンズ鏡胴１０は、第１回転部材２１０と第１直進部材２００とが第１対となり、第２回転部材３１０と第２直進部材３００とが第２対になり、カム環４１０（第３回転部材に相当する）と第１レンズ移動枠４００（第３直進部材に相当する）とが第３対となり、固定筒１００から３段が繰り出すようになっている。各対の回転部材２１０，３１０，４１０と直進部材２００，３００，４００とはバヨネット結合し、相対回転自在であるが軸方向には相対移動することなく一体的に移動するようになっている。
【００２６】
詳しくは、固定筒１００は中空穴を有し、その内周面には、ヘリコイド１０２と、軸方向に延在する複数の直進案内溝（図示せず）とが形成されている。また、図示していないが、外部と中空穴とを径方向に連通する連通穴が形成され、レンズ駆動用の長ギヤが、中空穴の軸と平行に配置されるようになっている。
【００２７】
第１回転部材２１０は、固定筒１００の中空穴に挿入される略筒状の部材であり、その後端部には、レンズ駆動用の長ギヤ（不図示）と噛合する歯車部２１１と、固定筒１００のヘリコイド１０２に係合するヘリコイド２１２とが形成され、長ギヤにより回転駆動されると、固定筒１００に対して軸方向に移動するようになっている。第１回転部材２１０の内周面には、ヘリコイド２１４と、軸方向に延在する円周上均等に配置された複数の直進案内溝２１６とが形成されている。
【００２８】
第２回転部材３１０は、第１回転部材２１０の内側に挿入される略筒状の部材であり、その後端部には、第１回転部材２１０の直進案内溝２１６に係合する突起３１２が形成され、第１回転部材２１０と第２回転部材とは、相対回転が阻止され、軸方向移動自在に一体的に回転するようになっている。第２回転部材３１０の内周面には、ヘリコイド３１４と、軸方向に延在する複数の直進案内溝３１６とが形成されている。
【００２９】
カム環４１０は、第２回転部材３１０の内側に挿入される略筒状の部材であり、その後端部には、第２回転部材３１０の直進案内溝３１６に係合する突起４１２が形成され、第２回転部材３１０とカム環４１０とは、相対回転が阻止され、軸方向移動自在に一体的に回転するようになっている。カム環４１０の内周面には、第２レンズ群８２（図２〜図５参照）を駆動する複数の第２カム溝４１６が形成されている。レンズ鏡胴１０はズームフォーカスレンズであり、各カム溝４１６には、焦点距離を変える部分（ズーミング領域）と合焦位置を変える部分（フォーカシング領域）とが交互に配置されている。
【００３０】
第１レンズ移動枠４００は、前端の第１レンズ枠部４０３と後端のフランジ部４０２とが連結部４０１を介して結合された略筒形状の部材である。第１レンズ枠部４０３は、第１レンズ群８１（図２〜図５参照）を保持する。フランジ部４０２の外周面には、第２回転部材３１０のヘリコイド３１４に係合するヘリコイド４０４が形成され、第２回転部材３１０が回転すると、軸方向に相対移動するようになっている。連結部４０１は、部分的に切り欠かれ、軸方向に延在する直進案内溝４０５及び第２レンズ枠ガイド溝４０６が形成されている。
【００３１】
第２レンズ枠５００は、第２レンズ群８２（図２〜図５参照）を保持する第２レンズ枠部５０２の外周面に、複数の腕部５０１が結合している。各腕部５０１には、周方向に突出する直進ガイド部５０５と、径方向外側に突出するカムフォロア突起５０６とが形成されている。各腕部５０１は、第１レンズ移動枠４００の連結部４０１の第２レンズ枠ガイド溝４０６に挿入され、各直進ガイド部５０５は第２レンズ枠ガイド溝４０６の側面に摺接する。カムフォロア突起５０６は、カム環４１０の第２カム溝４１６に係合する。
【００３２】
第２直進部材３００は、大略筒状の直進案内部３０１の後端に、径方向外側に広がるフランジ部３０２が結合されている。直進案内部３０１は、周方向に部分的に延在し、第１レンズ移動枠４００の連結部４０１の直進ガイド溝４０５内に挿入され、側面同士が摺接し、第２直進部材３００と第１レンズ移動枠４００とは、相対回転が阻止され、軸方向に相対移動するようになっている。直進案内部３０１は３つの部分に分かれているが、その２つには、それぞれ、後側から軸方向前方に向けて途中まで延在する直進ガイド溝３０５が形成されている。フランジ部３０２の外周面には、第１回転部材２１０のヘリコイド２１４に係合するヘリコイド３０６が形成され、第２直進部材３００は、第１回転部材２１０の回転に伴なって軸方向に移動するようになっている。
【００３３】
第１直進部材２００は、リング部２０２の内径側に、軸方向前方に延在する一対の第１直進ガイド部２０１が結合されている。リング部２０２の外周面には、固定筒１００の直進ガイド溝（図示せず）に係合する複数の突起２０３が形成されている。第１直進ガイド部２０１は、第２直進部材３００の直進案内部３０１に形成された直進ガイド溝３０５に挿入され、その側面２０４が直進ガイド溝３０５の側面に摺接し、第１直進部材２００と第２直進部材３００とは、相対回転が阻止され、軸方向に相対移動するようになっている。
【００３４】
レンズ鏡胴１０を後側から軸方向前方に見た図６に示すように、第１レンズ移動枠４００の連結部４０１と、第２レンズ枠５００の腕部５０１と、第２直進部材３００の直進案内部３０１と、第１直進案内部材２００の第１直進ガイド部２０１とは、同一円周上に配置されている。このように複数のレンズ群の駆動機構にかかわる複数の直進連動部分を略同一径に配置することによって、レンズ鏡胴１０を小型化することができる。
【００３５】
すなわち、各直進連動部分には周方向の力が作用するが、略同一径に配置されているので、周方向の力の作用位置が軸方向前後の直進連動部分間で径方向にずれることによる偶力が発生しない。そのため、各直進連動部分を含む部材を大きくしなくても十分な強度を確保することができる。
【００３６】
また、一般に、多段レンズ鏡胴では、各段の回転部材と直進部材とが互いに隣接するように配置され、沈胴時に各段が径方向に並ぶようになっている。そのため、レンズ鏡胴の径方向の厚さは、各段の回転部材の径方向の厚さと、各段の直進部材の径方向の厚さとの和より小さくすることはできない。これに対して、図６に示したように各段の直進部材を径方向に重なるように配置すれば、各段の直進部材の径方向の厚さの累積をなくすことができるので、レンズ鏡胴の径方向寸法を、より小さくすることができる。
【００３７】
さらに、第１直進部材２００の一対の第１直進ガイド部２０１は、レンズ鏡胴による結像を受光する矩形の受光面の長辺が対向する方向と同じ方向に対向するように、図において上下に配置されている。第１直進ガイド部２０１は、径方向内側に配置すると、受光面の長辺側に達する光束と干渉する。しかし、受光面の長辺よりも外側に達する光束に対して干渉しても問題がない。したがって、受光面に対する光束のケラレを防止しつつ、第１直進ガイド部２０１をできるだけ径方向内側に配置することにより、レンズ鏡胴１０を小型化することができる。
【００３８】
したがって、多段鏡胴でもコンパクト化を図ることができる。
【００３９】
また、レンズ鏡胴１０の各段は、ヘリコイド結合により伸縮する。そのため、レンズ鏡胴１０に軸方向に無理な力が作用しても、その力を受ける部分が多いので、カム機構によりレンズ鏡胴を伸縮する場合よりも、低コストで剛性を高めることができる。
【００４０】
図２〜図４は、レンズ鏡胴１０をカメラ本体に組み込んだときの断面図である。図２はワイド端状態（焦点距離が最も短い状態）、図３はテレ端状態（焦点距離が最も長い状態）、図４の沈胴状態をそれぞれ示す。図中、符号１は光軸、符号１５０はカメラ本体に設けたカバーである。
【００４１】
図２〜図４に示すように、レンズ鏡胴１０の先端（被写体側）には、レンズバリアユニット２０が設けられている。
【００４２】
また、第１レンズ移動枠４００には、第１レンズ群８１に隣接して、シャッターユニット１３０が固定されている。シャッターユニット１３０は、第１レンズ群８１の後側（被写体側とは反対側）にシャッター羽根（図示せず）が配置され、開閉するようになっている。シャッターユニット１３０には、カム環４１０の内周面に貼り付けたパターン板のパターンを検知するフォトリフレクタ９１が設けられ、レンズ鏡胴１０の繰り出し量を検出できるようになっている。シャッターユニット１３０及びフォトリフレクタ９１は、フレキシブルプリント基板１４０を介して、カメラ本体の制御回路（不図示）に接続される。
【００４３】
また、第２レンズ枠５００の前面の外縁に沿って、環状の遮光部材９０が、例えば両面テープを用いて、固着されている。遮光部材９０には、弾性部材であるモルトプレーンを用いる。モルトプレーンは、圧縮量をコントロールして製造することで所望の特性のものを得ることが容易であるが、ゴムや植毛布（テレンプ）、ウレタンフォーム、片持ち支持される蛇腹状の部材など、他の弾性部材を用いてもよい。
【００４４】
遮光部材９０は、図３に示すように、第２レンズ群８２が第１レンズ群８１に接近すると、シャッターユニット１３０の後面に当接して圧縮変形する。このとき、第１レンズ移動枠４００の連結部４０１の内径との間には十分な隙間が設けられているので、遮光部材９０が径方向外側に自由に広がり、第２レンズ枠５００は、遮光部材９０の圧縮変形により妨げられることなく、シャッターユニット１３０側に移動することができる。
【００４５】
一方、図３及び図４に示したように、第２レンズ群８２が第１レンズ群８１から離れると、遮光部材９０は、その弾性により、元の形状に戻る。図５に示すように、遮光部材９０は、元の形状に戻ったときに、第２レンズ枠５００の外側と第１レンズ移動枠４００の連結部４０１の内側との間の隙間６を通って受光面に向かう光束６ａを遮る。
【００４６】
遮光部材９０を弾性部材で構成することにより、第１レンズ群８１と第２レンズ群８２との間の距離が小さくなる場合でも、簡単な構成で第２レンズ群８２の外側を遮光しながら、第１レンズ群８１と第２レンズ群８２との間にシャッターユニット１３０を配置することができる。また、遮光部材９０は、光路に接近して配置することで、小さくすることができる。
【００４７】
次に、レンズ鏡胴１０の動作について説明する。
【００４８】
第１直進部材２００、第２直進部材３００、第１レンズ移動枠４００、第２レンズ枠５００は、相互の係合により、回転せず、軸方向にのみ移動する。一方、長ギヤにより第１回転部材２１０が回転駆動されると、直進案内溝２１６，３１６と突起３１２，４１２との係合により、第２回転部材３１０及びカム環４１０も一体的に回転する。
【００４９】
第１回転部材２１０が回転すると、そのヘリコイド２１２と固定筒１００のヘリコイド１０２との係合により、第１回転部材２１０及び第１直進案内部材２００が固定筒１００に対して軸方向に相対移動する。また、第１回転部材２１０のヘリコイド２１４と第２直進部材３００のヘリコイド３０６とが係合するので、第１部材２１０の回転により、第２直進部材３００及び第２回転部材３１０が、第１回転部材３１０及び第１直進案内部材２００に対して軸方向に相対移動する。さらに、第２回転部材３１０のヘリコイド３１４と第１レンズ移動枠４００のヘリコイド４０４とが係合するので、第１回転部材２１０の回転により第２回転部材３１０が回転すると、第１レンズ移動枠４００及びカム環４１０は、第２直進部材３００及び第２回転部材３１０に対して軸方向に相対移動する。
【００５０】
すなわち、レンズ鏡胴１０は、長ギヤ（図示せず）の順方向の回転により、図４に示した沈胴状態から、図２に示したワイド端状態（焦点距離が最も短い状態）を経て、図３のテレ端状態（焦点距離が最も長い状態）まで、伸びる。一方、長ギヤ（図示せず）の逆方向の回転により、図４の沈胴状態まで縮む。
【００５１】
以上説明したように、多段ズームレンズ鏡胴において直進連動させるための部分を略同一径に配置するという簡単な構成で、多段ゆえの大型化を防止することができる。
【００５２】
また、遮光部材９０を設けるという簡単な構成で、軸方向に相対移動するシャッターユニット１３０と第２レンズ枠５００との間を遮光することができる。
【００５３】
なお、本発明は上記実施例に限定されるものではなく、その他種々の態様で実施可能である。
【００５４】
例えば、本発明は、４段以上繰り出すレンズ鏡胴にも適用することができる。また、レンズ枠とシャッターユニットとの間の遮光に限らず、レンズ枠同士、レンズ枠、シャッターユニット、絞りユニット、鏡胴の直進部材や回転部材、マスク板との間など、軸方向に相対移動する任意の２つの部材間における遮光に、広く適用することができる。
【図面の簡単な説明】
【図１】本発明の実施例を示すレンズ鏡胴の分解斜視図である。
【図２】同レンズ鏡胴のワイド端状態の断面図である。
【図３】同レンズ鏡胴のテレ端状態の断面図である。
【図４】同レンズ鏡胴の沈胴状態の断面図である。
【図５】同レンズ鏡胴の遮光の説明図である。
【図６】同レンズ鏡胴を軸方向から見た要部構成図である。
【符号の説明】
１０  レンズ鏡胴
９０  遮光部材
１００  固定筒（固定部材）
２００  第１直進部材（第１対）
２０１  直進ガイド部（第１直進連動部）
２１０  第１回転部材（第１対）
２１４  ヘリコイド
２１６  直進案内溝（回転連動溝）
３００  第２直進部材（第２対）
３０１  直進案内部（第２直進連動部）
３０５  直進ガイド溝
３１０  第２回転部材（第２対）
３１２  突起
３１４  ヘリコイド
３１６  直進案内溝（回転連動溝）
４００  第１レンズ移動枠（第３直進部材、第３対）
４０１  連結部（第３直進連動部）
４０５  直進案内溝
４１０  カム環（第３直進部材、第３対）
４１２  突起
５００  第２レンズ枠
【図１】
2004184586.tif 000003
【図２】
2004184586.tif 000004
【図３】
2004184586.tif 000005
【図４】
2004184586.tif 000006
【図５】
2004184586.tif 000007
【図６】
2004184586.tif 000008